(57)【要約】      （修正有）【課題】上に載せたゴルフボールを打ったときに、上の部分がクラブに負荷を生じないほど軽く外れる上下分離式のゴルフティーを提供する。【解決手段】基台部１と、高さ調節台部２と、これらを繋ぐ繋ぎ紐４とから成る。基台部１は、下端部１５を地面に刺しやすいように尖らせるとともに上部にゴルフボールが安定的に載置可能な皿状のボール載置面９を形成し、該ボール載置面９の中央に円筒形の嵌合穴５を有する。高さ調節台部２は、底部に基台部１の嵌合穴５に嵌合可能な下向きの嵌合凸部６を突出させ且つ上部にゴルフボールが安定的に載置可能な皿状のボール載置面１０を有する。基台部１の側面の設けた貫通孔２３と、調節台部２の側面に設けた貫通孔２２とに挿通して、横から加わる力で基台部１から高さ調節台部２が容易に外れるようにする。【選択図】図２
0003162725.tif 000002
【実用新案登録請求の範囲】
【請求項１】
下端部を地面に刺しやすいように尖らせるとともに上部にゴルフボールが安定的に載置可能な皿状のボール載置面を形成し、該ボール載置面の中央に円筒形の嵌合穴を形成した基台部と、
底部に前記基台部の嵌合穴に嵌合可能な下向きの嵌合凸部を前記嵌合穴から僅かな傾斜で外れるよう浅く嵌合可能に突出させ且つ上部にゴルフボールが安定的に載置可能な皿状のボール載置面を形成した高さ調節台部と、
前記基台部の側面の設けた貫通孔と前記調節台部の側面に設けた貫通孔とに挿通させて、前記基台部と前記調節台部とを繋ぐ繋ぎ紐とから成り、
横から加わる力で前記基台部から高さ調節台部が容易に外れるようにしたことを特徴とする上下分離式ゴルフティー。
【請求項２】
請求項１に記載の上下分離式ゴルフティーにおいて、高さ調節台上部のボール載置面の中央に円筒形の嵌合穴を形成し、
上部にはゴルフボールが安定的に載置可能な皿状のボール載置面を形成し、且つ底部には前記高さ調節台上部の嵌合穴に嵌合可能な下向きの嵌合凸部を形成した複数の高さの異なる高さ追加台部を備え、
高さの異なる高さ追加台部の中から選択した１つを前記高さ調節台の上部に載せて嵌合させることでティー全体の高さを変えて使用可能としたことを特徴とする上下分離式ゴルフティー。
【請求項３】
請求項１又は２に記載の上下分離式ゴルフティーにおいて、基台部の貫通孔は側面から嵌合穴に貫通させて形成し、高さ調節台部の貫通孔は繋ぎ紐が遊貫可能な径に形成し、
前記高さ調節台部の貫通孔に挿通した繋ぎ紐の基端を前記基台部の側面から前記嵌合穴に差し込み前記基端部に設けた結び目を前記嵌合穴内に収納するとともに前記繋ぎ紐の末端部に前記該高さ調節台部が抜け落ちない大きさの結び目を設けたことを特徴とする上下分離式ゴルフティー。
【請求項４】
請求項１から３のうちいずれかに記載の上下分離式ゴルフティーにおいて、繋ぎ紐の末端寄りに識別部材を固定したことを特徴とする下分離式ゴルフティー。
【考案の詳細な説明】
【技術分野】
【０００１】
本考案は上下分離式のゴルフティーに関するものである。
【背景技術】
【０００２】
ゴルフボールを打つ際に、ボールをゴルフティーに載せてティーショットすることが行われているが、ゴルフティーはボールと一緒にクラブで打撃されて遠くに飛んで紛失してしまうことが多い。
従来、下記特許文献１に記載されたゴルフティーには、図６に示すように、上下着脱可能とするとともに上（Ｔ１）と下（Ｔ２）の部分を紐Ｃで連結し、クラブで打たれたとき、上（Ｔ１）の部分が地面Ｇに固定された下側（Ｔ２）から外れて紐Ｃの長さまでの距離まで飛んで落下する分離式のゴルフティーが提案されている。
この特許文献１には、上下の部分を凹凸に嵌合させて着脱可能としているが、図６に示すように、クラブＫでボールＢを打って、上（Ｔ１）下（Ｔ２）が分離する際に、上（Ｔ１）の部分が硬いのでクラブＫに負荷が生じ、この負荷が正確な飛球が要求されるボールＢの弾道に影響を及ぼしてしまう。また、ボールに打撃されたときに上（Ｔ１）の部分が破損しやすいという問題がある。
【０００３】
また、下記特許文献２に記載のゴルフティーでは、上下の接続面に磁石を対向させて固定し、磁石の吸引力で上の台部分を直立させ、クラブでボールを打ったときに吸引力より打撃力が圧倒的に大きいので容易に分離される構造が示されている。このゴルフティーでも、上の部分の磁石の吸引力に抗するための力がクラブに負荷を与え、この負荷がボールの弾道に影響を及ぼし、また前記特許文献１と同様に上の部分がボールの打撃で破損しやすいという難点がある。
【先行技術文献】
【特許文献】
【０００４】
【特許文献１】特開２００７−１９５９４９号公報
【特許文献２】特開２００６−４３４００号公報
【考案の概要】
【考案が解決しようとする課題】
【０００５】
上記特許文献１及び２の上下分離式のゴルフティーは、下の部分に上の部分が安定的に固定され、且つクラブに負荷を与えないために軽く分離できるようにすることは矛盾した技術的問題で、この矛盾は従来の上下分離式のゴルフティーでは克服することが困難であった。
そこで、本考案は、クラブでゴルフティーに載せたゴルフボールを打ったときに、地面に固定された下側の部分から上側の部分がクラブに負荷を生じないほど極めて軽く外れ、且つ安定的にゴルフボールを載置することが可能で、打たれても破損しない上下分離式のゴルフティーを提供することを目的とする。
【課題を解決するための手段】
【０００６】
上記課題を解決するため、本考案の上下分離式ゴルフティーは、請求項１に記載の考案にあっては、下端部を地面に刺しやすいように尖らせるとともに上部にゴルフボールが安定的に載置可能な皿状のボール載置面を形成し、該ボール載置面の中央に円筒形の嵌合穴を形成した基台部と、底部に前記基台部の嵌合穴に嵌合可能な下向きの嵌合凸部を前記嵌合穴から僅かな傾斜で外れるように浅く嵌合するように突出させ且つ上部にゴルフボールが安定的に載置可能な皿状のボール載置面を形成した高さ調節台部と、前記基台部の側面の設けた貫通孔と、前記調節台部の側面に設けた貫通孔とに挿通して、前記基台部と前記調節台部とを繋ぐ繋ぎ紐とから成る。
そして、横から加わる力で前記基台部から高さ調節台部が容易に外れるようにしたことを特徴とする。
【０００７】
請求項２に記載の考案にあっては、上記考案において、前記高さ調節台部の上部のボール載置面の中央に円筒形の嵌合穴を形成し、底部に前記高さ調節台部の嵌合穴に嵌合可能な下向きの嵌合凸部を形成し、上部にゴルフボールが安定的に載置可能な皿状のボール載置面を形成した高さ追加台部を、異なる高さで複数備え、複数の異なる高さの中から選択してティー全体の高さを変えて使用可能としたことを特徴とする。
【０００８】
請求項３に記載の考案にあっては、上記各考案において、前記基台部の貫通孔を、側面から嵌合穴に貫通させて形成し、繋ぎ紐の基端を前記嵌合穴内に結び目を設けて止め、高さ調節台部の貫通孔の径を、繋ぎ紐が遊貫可能に形成して前記繋ぎ紐の中間を往復可能に挿通し、前記繋ぎ紐の末端に結び目を設けて高さ調節台部から繋ぎ紐が抜け落ちないようにしたことを特徴とする。
【０００９】
請求項４に記載の考案にあっては、上記各考案において、前記繋ぎ紐の末端寄りに識別部材を固定したことを特徴とする。
【考案の効果】
【００１０】
本考案の上下分離式のゴルフティーは、基台部上に高さ調節台部を接続してゴルフボールをクラブで打ったときに、前記基台部の嵌合穴に嵌合可能な嵌合凸部を前記嵌合穴から僅かな傾斜で外れるように浅く嵌合するように突出させたので、地面に固定された下側の基台部から上側の高さ調節台部がクラブに負荷を与えずに軽く外れる。したがって基台部は強い衝撃を受けないのでが、外れた高さ調節台部は遠くに飛ばされることがない。
【００１１】
前記基台部と高さ調節台部とは嵌合穴と嵌合凸部の下端の接触する円筒面が僅かに接触して浅く嵌合するように形成したのは、図５の（ロ）に示すように、嵌合穴の上部と下向き凸部下端の全周とが接触した状態で嵌合するので真上に引いたときには外れ難く、且つ僅かの傾斜で軽く簡単に外れるようにするためである。
図５の（イ）に示すように、基台部上端の周縁コーナーに高さ調節台部の底面周縁が打撃側の反対側の１箇所で接触して、その接触部が支点となってほんの僅かに高さ調節台部が傾斜しただけで打撃側が浮き上がり全てが軽く外れるようになる。
使用するときには高さ調節台部の側面からの打撃となるのでその力が抜けるように受け流されるので負荷が殆ど発生せず、衝撃を受けないので損傷しない。このため何度でも繰り返し使用することが可能となる。
【００１２】
請求項２に記載の考案では、異なる高さに形成した複数の高さ調節台部を交換して高さを選択して変えることができ、状況に応じた使用が可能となる。
【００１３】
請求項３に記載の考案では、繋ぎ紐を基台部へ止める結び目が嵌合穴に中に隠れるので見映えが良く、また、高さ調節台部には挿通孔に遊貫しているのでゴルフボールを打ったときに、前記基台部から外れた高さ調節台部が自由に移動できるので、前記繋ぎ紐の末端で止められるまで移動でき、打たれて外された高さ調節台部が遠くに飛んで行ってしまうことがない。
【００１４】
請求項４に記載の考案では、通常のティーでは目立たないので芝生や草むらの中に失くしてしまうことが多いが、繋ぎ紐に設けた識別部材が目印によって、気づかずに芝の上などの置いたまま忘れたり落としたりしても容易に見つけることが可能となる。
また、この識別部材を標札にして、広告を記したり、名刺を印刷して、贈答に供し、個人や企業のＰＲのために活用することが可能となる。
【図面の簡単な説明】
【００１５】
【図１】本考案の基台部と調節台部とを分離した状態を示す斜視図である。
【図２】基台部と調節台部とを連結した状態を示す縦断側面図である。
【図３】基台部と調節台部とを分離した状態を示す縦断側面図である。
【図４】使用状態を示す斜視図である。
【図５】基台部と調節台部とが（イ）が外れた状態、（ロ）が連結された状態を示す要部の各縦断側面図である。
【図６】従来の分離式のゴルフティーを示す縦断側面図である。
【考案を実施するための形態】
【００１６】
本考案の上下分離式ゴルフティーを実施するための形態を以下説明する。
本考案は、図１及び図２に示すように、地面に刺して固定する基台部１と、その上に連結される高さ調節台部２と基台部１に高さ調節台部２を繋ぎ止める繋ぎ紐４とで構成される。
【００１７】
前記基台部１は、下端部を地面に刺しやすいように尖らせるとともに上部にゴルフボールが安定的に載置可能な皿状のボール載置面９を形成し、該ボール載置面９の中央には円筒形の嵌合穴５を形成する。
【００１８】
前記高さ調節台部２は、底部に前記基台部１の嵌合穴５に嵌合可能な下向きの嵌合凸部６を前記嵌合穴５から僅かな傾斜で外れるように浅く嵌合するように突出させ且つ上部にゴルフボールが安定的に載置可能な皿状のボール載置面１０を形成する。
前記高さ調節台部２は、前記基台部１の嵌合穴５に浅く嵌合されているので、ゴルフボールを載せて打ったとき、横から加わる力で前記基台部１から高さ調節台部２が容易に外れるようになる。
【００１９】
前記繋ぎ紐４は、前記基台部１の側面の設けた貫通孔２３と、前記調節台部２の側面に設けた貫通孔２２とに挿通して、前記基台部１と前記調節台部２とを繋ぐ。
【００２０】
そして、前記調節台部２の上には、図３に示すように、前記高さ調節台部２の上部のボール載置面１０の中央に円筒形の嵌合穴７を形成し、底部に前記高さ調節台部２の嵌合穴７に嵌合可能な下向きの嵌合凸部８を形成することで、上部にゴルフボールが安定的に載置可能な皿状のボール載置面１１を形成した高さ追加台部３を、異なる高さで複数備えることができる。
図３では、追加台部３が長短２種類を示しているが、さらに数種類の長さのものを用意しておけば選択の種類が増え、微妙な対応が可能となり、この複数の異なる高さの高さ追加台部３の中から自由に選択することで、ティー全体の高さを変えて状況に応じた使用が可能となる。
【００２１】
また、図３に示すように、前記基台部１の貫通孔２３を、側面から嵌合穴５に貫通させて形成し、繋ぎ紐４の基端を前記嵌合穴５内に結び目２４を設けて止め、高さ調節台部２の貫通孔２２の径を、繋ぎ紐４が遊貫可能に形成して前記繋ぎ紐４の中間を往復可能に挿通することで、前記繋ぎ紐４の末端に結び目２５を設けて高さ調節台部２から繋ぎ紐４が抜け落ちないようにすることが可能となる。
【００２２】
さらに、前記繋ぎ紐４の末端寄りには、識別部材２６を固定することもできる。
前記識別部材２６は、図３に示すように、赤や黄色などの色彩を用いた目印を固定することも可能である。こうすると、落としても気が付いて失くすのを防止でき、キャラクターなどのデザインした目印（図省略）を用いれば、例えば携帯電話などのストラップとして使用したり、ベルトに巻き付けてアクセサリーとして利用することも可能となる。
通常のティーでは目立たないので芝生や草むらの中に失くしてしまうことが多いが、本発明では繋ぎ紐４に設けた識別部材２６が目印によって、気づかずに芝の上などの置いたまま忘れたり落としたりしても容易に見つけることが可能となる。
また、この識別部材２６を、図１及び図２に示すように、標札にして、広告を記載したり、名刺を印刷して、贈答に供せば、個人や企業のＰＲのために活用することが可能となる。
【００２３】
次に図３を例に各部のサイズの一例を具体的に説明する。
各部の長さは、基台部１は４０ｍｍ、高さ調節台部２は３８．５ｍｍ、追加台部３は図３左の長い方が１３．５ｍｍ、図３右の短い方が８．５ｍｍとする。
また、各円柱部１６、１７、１８、２７の径はいずれも等しく１３ｍｍとする。
そして、その基台部１の円柱部の長さは、高さ調節台部２の円柱部１６が５．５ｍｍ、円柱部１７が６ｍｍ、円柱部１８が５ｍｍ、追加台部３の円柱部２７は長い方が１０ｍｍ、短い方が５ｍｍとする。
高さ調節台部２と追加台部３の各嵌合凸部６、８は、いずれも径を６ｍｍとし、突出長さを３．５ｍｍとする。そして若干の突出端部の角は丸く面取り１９、２０加工をする。
また、前記各嵌合穴５、７は、いずれも内径を６ｍｍとし、深さが基台部１で６ｍｍとし、高さ調節台部２では４．５ｍｍとし、高さ調節台部２ではその下にさらに擂鉢状に深く掘り込む。
【００２４】
皿状のボール載置面９、１０、１１はいずれも径１５ｍｍの球面に形成する。
高さ調節台部２の括れ部２１は中間の細い部分の径を５ｍｍとし上下方向に丸面状に太くなるように形成する。
そして、その基台部１の円柱部１６の側面から嵌合穴５内の底に近い部分に水平に抜ける貫通孔２３は孔径を２ｍｍとする。
また高さ調節台部２の円柱部１７の側面を水平に貫通するから貫通孔２２は孔径を２ｍｍとする。
そして、繋ぎ紐の径は約１．５ｍｍとし長さは２０ｃｍから３０ｃｍとする。
【００２５】
上記サイズは、前記嵌合穴５、７に前記嵌合凸部６、８が深さ１ｍｍ〜２ｍｍ程度に浅く一周が接触し、前記基台部１の嵌合穴５から前記高さ調節台部２の嵌合凸部６が僅かな傾斜で外れるという機能と、直立状態では容易に外れないという機能を同時に満足できる好ましい一例であるが、サイズはこれに限定するものではない。
【００２６】
また、前記基台部１、高さ調節台部２及び高さ追加台部３の材質は木、プラスチック、金属などを使用して形成することが可能である。
【００２７】
次に使用方法および前記基台部１と高さ調節台部２とが外れる際の作用を説明する。
使用に当たっては、図４に示すように、基台部１の上部１６に高さ調節台部２を連結して、基台部１の下端部１５を地面Ｇに突き刺して直立させ、前記高さ調節台部２の上部のボール載置面１０にゴルフボールＢを載せてゴルフクラブＫでゴルフボールＢを打つ。
このとき前記高さ調節台部２はゴルフクラブＫ又はゴルフボールＢから衝撃を受けて基台部１が外れ、繋ぎ紐の長さ範囲にまで飛ばされて基台部１の近くに落ちる。繋ぎ紐で繋がっているので前記基台部１と高さ調節台部２にうちいずれか一方を失くして使えなくなることはない。
各部の皿状のボール載置面９、１０、１１にゴルフボールＢが載置できるので、それらの組み合わせで、高さは各種多様に対応でき、前記高さ調節台部２を連結せずに使用すれば地面Ｇ近く低く置くこともできる。
【００２８】
打ったとき、高さ調節台部２が外れるときの状態は、前記基台部と高さ調節台部とは嵌合穴と嵌合凸部の下端の接触する円筒面が僅かに接触して浅く嵌合するように形成したのは、図５の（ロ）に示すように、嵌合穴の上部と下向き凸部下端の全周とが１〜２ｍｍ程度の深さで接触して嵌合した状態となっているので真上に引いたり押したりしたときには外れ難く、且つ僅かの傾斜で軽く簡単に外れるようにするためである。
横から打撃が加わると、図５の（イ）に示すように、基台部上端の周縁コーナーに高さ調節台部の底面周縁が打撃側の反対側の１箇所で接触して、その接触部が支点となってほんの僅か高さ調節台部が傾斜しただけで打撃側が浮き上がり全てが軽く外れるようになる。このとき、前記基台部１から、小さい力で内筒体５の凸部２への接触部分が急速に減少して一気に連結保持力を失って外れる。
使用するときには高さ調節台部の側面からの打撃となるのでその力が抜けるように受け流されるので負荷が殆ど発生せず、こんためボールの弾道への影響も殆どなく使用者の打撃技能が正確に反映され、また高さ調節台部も抵抗が少ないので損傷し難い利点がある。このため本発明は何度でも繰り返し使用することが可能となる。
【産業上の利用可能性】
【００２９】
本考案の上下分離式ゴルフティーは、繋ぎ紐を携帯電話などのストラップ紐としてアクセサリーとして贈答品に利用することも可能である。
【符号の説明】
【００３０】
１    基台部
２    高さ調節台部
３    高さ追加台部
４    繋ぎ紐
５    嵌合穴
５ａ  嵌合穴の上端部
６    嵌合凸部
７    嵌合穴
８    嵌合凸部
９    ボール載置面
１０    ボール載置面
１１    ボール載置面
１２    円柱部下面
１３    円柱部下面
１４    基台部のテーパー状部
１５    基台部の下端部
１６    円柱部
１７    円柱部
１８    円柱部
１９    面取り
２０    面取り
２１    高さ調節台部の括れ部
２２    紐通し孔
２３    紐繋ぎ孔
２４    結び目
２５    結び目
２６    識別部材
２７    円柱部
Ｂ    ゴルフボール
Ｋ    ゴルフクラブ
Ｇ    地面
【図１】
0003162725.tif 000003
【図２】
0003162725.tif 000004
【図３】
0003162725.tif 000005
【図４】
0003162725.tif 000006
【図５】
0003162725.tif 000007
【図６】
0003162725.tif 000008
【手続補正書】
【提出日】平成22年7月9日(2010.7.9)
【手続補正１】
【補正対象書類名】実用新案登録請求の範囲
【補正対象項目名】請求項４
【補正方法】変更
【補正の内容】
【請求項４】
請求項１から３のうちいずれかに記載の上下分離式ゴルフティーにおいて、繋ぎ紐の末端寄りに識別部材を固定したことを特徴とする上下分離式ゴルフティー。